(57)【要約】【課題】  ケーブル保持の作業性向上、安全性向上、信頼性の向上、省スペースを可能とする。【解決手段】  コネクタを設けた複数の基板を抜き差し自在に横方向に取り付けるシェルフを設け、シェルの前面において、それぞれコネクタを設けた複数のケーブルを、基板のコネクタにコネクタを介してそれぞれ接続して成る電子・電機装置に用いられるケーブル保持装置において、ケーブルを保持する複数のスリットを備え、シェルフの前面に取り付けられるたシェルフ側板材と、ケーブルの復元力に抗する側に傾いてケーブルを保持する複数のスリットを設けるとともにシェルフ側板材と離間して配置された反シェルフ側板材とで構成され、ケーブルは、ケーブル保持装置のシェルフ側板材から反シェルフ側板材板材に向かってスリットを介して通されて保持されるとともにコネクタを基板のコネクタに接続される。【選択図】    図１
2006237157.tif 000002
【特許請求の範囲】
【請求項１】
コネクタを設けた複数の基板を抜き差し自在に横方向に取り付けるシェルフを設け、前記シェルの前面において、それぞれコネクタを設けた複数のケーブルを、前記基板のコネクタに前記コネクタを介してそれぞれ接続して成る電子・電機装置に用いられるケーブル保持装置において、
前記ケーブルを保持する複数のスリットを備え、前記シェルフの前面に取り付けられるたシェルフ側板材と、
前記ケーブルの復元力に抗する側に傾いて前記ケーブルを保持する複数のスリットを設けるとともに前記シェルフ側板材と離間して配置された反シェルフ側板材と
で構成され、
前記ケーブルは、前記ケーブル保持装置のシェルフ側板材から反シェルフ側板材板材に向かって前記スリットを介して通されて保持されるとともに前記コネクタを前記基板のコネクタに接続される
ことを特徴とするケーブル保持装置。
【請求項２】
請求項１に記載のケーブル保持装置において、
前記シェルフ側板材と前記反シェルフ側板材とは、前記複数のスリットが同数で相互に対向して配置されている
ことを特徴とするケーブル保持装置。
【請求項３】
請求項１に記載のケーブル保持装置において、
前記シェルフ側板材に設けた複数のスリットは、前記シェルフ側板材の上部から下部に向かって前記シェルフ側板材と直交して切り込まれている
ことを特徴とするケーブル保持装置。
【請求項４】
請求項１に記載のケーブル保持装置において、
前記シェルフ側板材に設けた複数のスリットは、前記シェルフ側板材の上部から下部に向かって前記シェルフ側板材に対して傾斜して切り込まれている
ことを特徴とするケーブル保持装置。
【請求項５】
請求項１ないし請求項４の何れか１項に記載のケーブル保持装置において、
前記シェルフ側板材に設けた複数のスリットは、底部に抜け止めの窪みを設けて成る
ことを特徴とするケーブル保持装置。
【請求項６】
請求項５に記載のケーブル保持装置において、
前記抜け止めの窪みは、前記ケーブルの導入側に設けてある
ことを特徴とするケーブル保持装置。
【請求項７】
請求項１に記載のケーブル保持装置において、
前記反シェルフ側板材に設けた複数のスリットは、前記反シェルフ側板材の上部から下部に向かって前記反シェルフ側板材に対して傾斜して切り込まれている
ことを特徴とするケーブル保持装置。
【請求項８】
請求項１に記載のケーブル保持装置において、
前記反シェルフ側板材に設けた複数のスリットは、前記反シェルフ側板材の上部から下部に向かって前記ケーブルを導入する側に対して傾斜して切り込まれている
ことを特徴とするケーブル保持装置。
【請求項９】
コネクタを設けた複数の基板を抜き差し自在に横方向に取り付けるシェルフを設け、前記シェルの前面において、それぞれコネクタを設けた複数のケーブルを、前記基板のコネクタに前記コネクタを介してそれぞれ接続して成る電子・電機装置において、
前記複数のケーブルを前記シェルフの前面に沿って設けたケーブル載置部と、
前記ケーブル載置部の反シェルフ側に設けたケーブル保持装置と
を備え、
前記ケーブル保持装置は、
前記ケーブルを保持する複数のスリットを備えたシェルフ側板材と、
前記ケーブルの復元力に抗する側に傾いて前記ケーブルを保持する複数のスリットを設けるとともに前記シェルフ側板材と離間して配置された反シェルフ側板材と
で構成され、
前記ケーブルは、前記ケーブル保持装置のシェルフ側板材から反シェルフ側板材板材に向かって前記スリットを介して通されて保持されるとともに前記コネクタを前記基板のコネクタに接続される
ことを特徴とする電子・電機装置。
【請求項１０】
請求項９に記載の電子・電機装置において、
前記シェルフ側板材と前記反シェルフ側板材とは、前記複数のスリットが同数で相互に対向して配置されている
ことを特徴とする電子・電機装置。
【請求項１１】
請求項９に記載の電子・電機装置において、
前記シェルフ側板材に設けた複数のスリットは、前記シェルフ側板材の上部から下部に向かって前記シェルフ側板材と直交して切り込まれている
ことを特徴とする電子・電機装置。
【請求項１２】
請求項９に記載の電子・電機装置において、
前記シェルフ側板材に設けた複数のスリットは、前記シェルフ側板材の上部から下部に向かって前記シェルフ側板材に対して傾斜して切り込まれている
ことを特徴とする電子・電機装置。
【請求項１３】
請求項９ないし請求項１２の何れか１項に記載の電子・電機装置において、
前記シェルフ側板材に設けた複数のスリットは、底部に抜け止めの窪みを設けて成る
ことを特徴とする電子・電機装置。
【請求項１４】
請求項１３に記載の電子・電機装置において、
前記抜け止めの窪みは、前記ケーブルの導入側に設けてある
ことを特徴とする電子・電機装置。
【請求項１５】
請求項９に記載の電子・電機装置において、
前記反シェルフ側板材に設けた複数のスリットは、前記反シェルフ側板材の上部から下部に向かって前記反シェルフ側板材に対して傾斜して切り込まれている
ことを特徴とする電子・電機装置。
【請求項１６】
請求項９に記載の電子・電機装置において、
前記反シェルフ側板材に設けた複数のスリットは、前記反シェルフ側板材の上部から下部に向かって前記ケーブルを導入する側に対して傾斜して切り込まれている
ことを特徴とする電子・電機装置。
【発明の詳細な説明】
【技術分野】
【０００１】
本発明は、光ケーブル、線材、コードなどのケーブルを保持する装置および伝送装置、電話交換機などの電子・電機装置に関する。
【背景技術】
【０００２】
電子・電機装置においては、シェルフに抜き差し自在に横方向に配列された回路基板に、光ケーブル、電気ケーブルなどの外部ケーブルを接続している。
図１５は、その一例を示す。
シェルフ１００には、コネクタ（図示せず）を備えた複数のプリント板ユニット（回路基板）１１０が抜き差し自在に横方向に取り付けられている。シェルフ１００の下部には、ワイヤサドル１１２を備えたケーブル収容部１１１が設置されている。そして、シェルフ１００の前面において、コネクタ１２１を設けた複数の光ケーブル１２０が、プリント板ユニット１１０のコネクタにコネクタ１２１を介してそれぞれ接続されている。ここで、光ケーブル１２０は、シェルフ１００の下部に設けたケーブル収容部１１１側からワイヤサドル１１２を通してコネクタ１２１を各プリント板ユニット１１０のコネクタに接続されている。
【０００３】
従来、光ケーブル、電気ケーブルなどの外部ケーブルの保持は、図１５に示すワイヤサドル１１２を用いるもの（例えば、特許文献１参照）、ケーブルサポートに縛るもの（例えば、特許文献２参照）、ケーブル導入ダクトを用いるもの（例えば、特許文献３参照）などが知られていた。
【特許文献１】特開平５−２９９８５３号公報
【特許文献２】特開２００３−２２９６８１号公報
【特許文献３】実公平７−１９１９１号公報
【発明の開示】
【発明が解決しようとする課題】
【０００４】
ワイヤサドルは、樹脂製であるため、複数の線材を一度に保持することが可能である。しかし、ケーブルの保持作業には、図１６に示すように、コネクタ１２１を通すために、部材の開閉操作を伴うものが多く、作業性が悪い。しかも、光ケーブル１２０は、方向を変更されるたびに元に戻ろうとして図１６の矢印で示すように左右に大きく暴れる。また、線材を押し込むタイプのワイヤサドルは、挿入時にストレスが掛かるため、光ケーブルのようにデリケートなケーブルには、安全性に問題がある。さらに、市販のワイヤサドルの多くは、複数のケーブルに対応するために、ある程度広い保持エリアを持っている。そのため、保持したケーブルの位置や方向を規制することが難しい。そして、ワイヤサドル自体の構造上、設置スペースを広く取り、昨今の高密度実装の装置では、ワイヤサドル自体を取り付けることが難しいことも珍しくない。
【０００５】
また、ケーブルサポートへの縛り付けは、ケーブルを強力に保持する反面ストレスが大きく、光ケーブルのようなデリケートなケーブルには不向きである。また、縛り付けるために、タイラップなどのバンド類を必要とし、一度固定したケーブルはタイラップやバンド類を外さなければ調整や取外しができない。
また、ケーブル導入ダクトは、回路基板の挿抜や外部ケーブルの導入接続の作業性を改善することができる。しかし、シェルフの前面に、外部ケーブルを導入保持するケーブル受けと、このケーブル受けの開口部を覆って回動開閉しケーブル導入溝を有する蓋とを設置するため、広いスペースを必要とする。また、これらの設置作業時に両者の組み付けだけではなくねじ止め作業を必要とするなどの煩わしい作業を伴うという問題がある。しかも、ケーブルの保持接続の度に蓋を開閉しなければならず、作業性が悪い。
【０００６】
本発明は斯かる従来の問題点を解決するために為されたもので、その目的は、ケーブル保持の作業性向上、安全性向上、信頼性の向上、省スペースを可能としたケーブル保持装置および電子・電機装置を提供することにある。
【課題を解決するための手段】
【０００７】
請求項１に係る発明は、コネクタを設けた複数の基板を抜き差し自在に横方向に取り付けるシェルフを設け、シェルの前面において、それぞれコネクタを設けた複数のケーブルを、基板のコネクタにコネクタを介してそれぞれ接続して成る電子・電機装置に用いられるケーブル保持装置において、ケーブルを保持する複数のスリットを備え、シェルフの前面に取り付けられるたシェルフ側板材と、ケーブルの復元力に抗する側に傾いてケーブルを保持する複数のスリットを設けるとともにシェルフ側板材と離間して配置された反シェルフ側板材とで構成され、ケーブルは、ケーブル保持装置のシェルフ側板材から反シェルフ側板材板材に向かってスリットを介して通されて保持されるとともにコネクタを基板のコネクタに接続されることを特徴とする。
【０００８】
請求項２に係る発明は、請求項１に記載のケーブル保持装置において、シェルフ側板材と反シェルフ側板材とは、複数のスリットが同数で相互に対向して配置されていることを特徴とする。
請求項３に係る発明は、請求項１に記載のケーブル保持装置において、シェルフ側板材に設けた複数のスリットは、シェルフ側板材の上部から下部に向かってシェルフ側板材と直交して切り込まれていることを特徴とする。
【０００９】
請求項４に係る発明は、請求項１に記載のケーブル保持装置において、シェルフ側板材に設けた複数のスリットは、シェルフ側板材の上部から下部に向かってシェルフ側板材に対して傾斜して切り込まれていることを特徴とする。
請求項５に係る発明は、請求項１ないし請求項４の何れか１項に記載のケーブル保持装置において、シェルフ側板材に設けた複数のスリットは、底部に抜け止めの窪みを設けて成ることを特徴とする。
【００１０】
請求項６に係る発明は、請求項５に記載のケーブル保持装置において、抜け止めの窪みは、ケーブルの導入側に設けてあることを特徴とする。
請求項７に係る発明は、請求項１に記載のケーブル保持装置において、反シェルフ側板材に設けた複数のスリットは、反シェルフ側板材の上部から下部に向かって反シェルフ側板材に対して傾斜して切り込まれていることを特徴とする。
【００１１】
請求項８に係る発明は、請求項１に記載のケーブル保持装置において、反シェルフ側板材に設けた複数のスリットは、反シェルフ側板材の上部から下部に向かってケーブルを導入する側に対して傾斜して切り込まれていることを特徴とする。
請求項９に係る発明は、コネクタを設けた複数の基板を抜き差し自在に横方向に取り付けるシェルフを設け、シェルの前面において、それぞれコネクタを設けた複数のケーブルを、基板のコネクタにコネクタを介してそれぞれ接続して成る電子・電機装置において、複数のケーブルをシェルフの前面に沿って設けたケーブル載置部と、ケーブル載置部の反シェルフ側に設けたケーブル保持装置とを備え、ケーブル保持装置は、ケーブルを保持する複数のスリットを備えたシェルフ側板材と、ケーブルの復元力に抗する側に傾いてケーブルを保持する複数のスリットを設けるとともにシェルフ側板材と離間して配置された反シェルフ側板材とで構成され、ケーブルは、ケーブル保持装置のシェルフ側板材から反シェルフ側板材板材に向かってスリットを介して通されて保持されるとともにコネクタを基板のコネクタに接続されることを特徴とする。
【００１２】
請求項１０に係る発明は、請求項９に記載の電子・電機装置において、シェルフ側板材と反シェルフ側板材とは、複数のスリットが同数で相互に対向して配置されていることを特徴とする。
請求項１１に係る発明は、請求項９に記載の電子・電機装置において、シェルフ側板材に設けた複数のスリットは、シェルフ側板材の上部から下部に向かってシェルフ側板材と直交して切り込まれていることを特徴とする。
【００１３】
請求項１２に係る発明は、請求項９に記載の電子・電機装置において、シェルフ側板材に設けた複数のスリットは、シェルフ側板材の上部から下部に向かってシェルフ側板材に対して傾斜して切り込まれていることを特徴とする。
請求項１３に係る発明は、請求項９ないし請求項１２の何れか１項に記載の電子・電機装置において、シェルフ側板材に設けた複数のスリットは、底部に抜け止めの窪みを設けて成ることを特徴とする。
【００１４】
請求項１４に係る発明は、請求項１３に記載の電子・電機装置において、抜け止めの窪みは、ケーブルの導入側に設けてあることを特徴とする。
請求項１５に係る発明は、請求項９に記載の電子・電機装置において、反シェルフ側板材に設けた複数のスリットは、反シェルフ側板材の上部から下部に向かって反シェルフ側板材に対して傾斜して切り込まれていることを特徴とする。
【００１５】
請求項１６に係る発明は、請求項９に記載の電子・電機装置において、反シェルフ側板材に設けた複数のスリットは、反シェルフ側板材の上部から下部に向かってケーブルを導入する側に対して傾斜して切り込まれていることを特徴とする。
【発明の効果】
【００１６】
本発明により、以下の効果が得られる。
部材開閉操作を行うことなく、ケーブルの保持を行うことができる。
ケーブルにストレスを掛けることなく、容易に保持することができる。
狭いスリットにより、ケーブルの遊びが少なくなり、位置や方向を規制することが可能となる。
【００１７】
装置の狭いスペースでも、スリット位置を自由に設け、少ないスペースでケーブルを保持できる。
一度収容したケーブルの微調整が自由に行える。
収容したケーブルは、簡単に取り外すことが可能である。
部材に可動部分が無いために劣化が無く、繰り返し使用が可能である。
【発明を実施するための最良の形態】
【００１８】
以下、本発明を図面に示す実施形態に基づいて説明する。
図１〜図１０は、本発明の一実施形態に係るケーブル保持装置５０を備えた電子・電機装置１０を示す。
本実施形態に係るケーブル保持装置５０を備えた電子・電機装置１０は、シェルフ２０と、このシェルフ２０内に抜き差し自在に横方向に取り付けられた複数のプリント板ユニット（基板）３０と、シェルフ２０の前面に設置されるケーブル載置部４０と、ケーブル載置部４０の反シェルフ側に設けたケーブル保持装置５０とで構成されている。
【００１９】
シェルフ２０は、複数のプリント板ユニット（基板）３０を収容する棚２１を高さ方向に複数段備えている。各棚２１には、プリント板ユニット３０を取り付けた時に電気的に接続するためのコネクタを備えている。また、各棚２１には、プリント板ユニット３０を取り付ける際の案内を行うガイドを備えている。そして、各棚２１の上部に光ファイバ６０の余長処理部２２を備えている。
【００２０】
複数のプリント板ユニット（基板）３０は、光ケーブル６０のコネクタ６１と接続するためのコネクタ３１と電気信号や電源との接続を行うためのコネクタなどを備えている。また、複数のプリント板ユニット（基板）３０は、抜き差しを容易にするための公知の機器を備えている。
ケーブル載置部４０は、複数の光ケーブル６０をシェルフ２０の前面に沿って設けた棚である。ケーブル載置部４０には、余長処理部２２から導入される光ケーブル６０が載置される。
【００２１】
ケーブル保持装置５０は、光ケーブル５０を保持する複数のスリット５２を備えたシェルフ側板材５１と、光ケーブル６０の復元力に抗する側に傾いて光ケーブル６０を保持する複数のスリット５６を設けるとともにシェルフ側板材５１と離間して配置された反シェルフ側板材５５とで構成されている。ここで、スリット５２とスリット５６とは同数で相互に対向して配置されている。また、シェルフ側板材５１に設けた複数のスリット５２は、シェルフ側板材５１の上部から下部に向かってシェルフ側板材５１と直交して切り込まれている。反シェルフ側板材５５に設けた複数のスリット５６は、反シェルフ側板材５５の上部から下部に向かって反シェルフ側板材５５に対して傾斜して切り込まれている。
【００２２】
なお、本実施形態では、ケーブル保持装置５０は、ケーブル載置部４０の反シェルフ側において、シェルフ側板材５１を取り付け、先端部を立ち上げて反シェルフ側板材５５を形成することによって構成されている。従って、ケーブル保持装置５０は、ケーブル載置部４０をシェルフ２０の前面にねじ４１によって取り付ける時にケーブル載置部４０と同時に取り付けられる。
【００２３】
次に、斯くして構成された本実施形態に係るケーブル保持装置５０を備えた電子・電機装置１０の作用を説明する。
先ず、必要数の光ケーブル６０を余長処理部２２から導入してケーブル載置部４０に載置する。
次に、図７〜図８に示すように、接続すべきプリント板ユニット（基板）３０の位置に置いて、光ケーブル６０をケーブル保持装置５０のシェルフ側板材５１側からそのスリット５２を介して反シェルフ側板材５５のスリット５６に導く。この際、シェルフ側板材５１では、図８に示すように、光ケーブル６０が直線に復元しようとするので、光ケーブル６０がスリット５６の奥の方に入ろうとする。さらに、図９に示すように、スリット５２に光ケーブル６０が通されると、スリット５２が光ケーブル６０の左右の動きを抑える。
【００２４】
次に、光ケーブル６０のコネクタ６１側を接続すべきコネクタ３１に向かって反転してコネクタ６１をコネクタ３１と接続する。この際、反シェルフ側板材５５のスリット５６では、図９に示すように、光エーブル６０が上に上がろうとする作用をスリット５６の斜面が抑える。
斯くして、図１０に示すように、光ケーブル６０は、シェルフ側板材５１のスリット５２と反シェルフ側板材５５のスリット５６とが重なった両者の最低部で光ケーブル６０を保持することができる。そして、整線した光ケーブル６０に外力が加わり、光ケーブル６０がスリット５２，５６から外れようとすると、スリット５２，５６が互いに光ケーブル６０の抜ける方向に対して壁となって抑える。すなわち、光ケーブル６０が上方へ抜けようとすると、反シェルフ側板材５５のスリット５６が光ケーブル６０を抑え、光ケーブル６０が斜めに抜けようとすると、シェルフ側板材５１のスリット５２が光ケーブル６０を抑える。
【００２５】
以上のように、本実施形態によれば、光ケーブル６０のような取り扱いに注意が必要な線材保持の作業性向上、安全性向上、信頼性の向上、省スペースが可能となる。
なお、上記実施形態では、光ケーブル６０が図１において、右側から導入されたため、反シェルフ側板材５５のスリット５６の傾斜を右向きとしたが、左側から光ケーブルが導入される場合には、反シェルフ側板材５５のスリット５６の傾斜を導入側である左向きとする。
【００２６】
また、上記実施形態では、シェルフ側板材５１のスリット５２を板材に対して垂直方向に傾斜した場合について説明したが、例えば、図１１に示すように、反シェルフ側板材５５のスリット５６と反対側に傾斜する形状としても良い。この場合には、シェルフ側板材５５のスリット５６を光ケーブル６０を導入する側に傾ける。また、両スリット５２，５６の傾き角度は同じとする。
【００２７】
また、上記実施形態では、スリット５２，５６の幅を均一にした場合について説明したが、例えば、図１２に示すように、シェルフ側板材５１のスリット５２の根本部に抜け止めの窪み５３を設けても良い。抜け止めの窪み５３は、光ケーブル６０を案内しやすくなる。例えば、図１３に示すように、ケーブル保持装置５０を上方から見た場合、光ケーブル６０が自然にＲを形成し、抜け止めの窪み５３に入る。図１４に示すように、ケーブル保持装置５０を側面から見ても、同様に、光ケーブル６０が自然にＲを形成し、抜け止めの窪み５３に入る。
【００２８】
また、上記実施形態では、シェルフ２０に設けた棚２１の上部に余長処理装置２２を設けた場合について説明したが、本発明は、これに限らず、余長処理部２２を棚の下部に設けたり、側部に設けたりしても良い。また、シェルフ２０を収容する棚２１は複数でも単数でも良い。
また、上記実施形態では、光ケーブルについて説明したが、本発明に係るケーブル保持装置５０は、線材、コード、チューブ、パイプなどを収容する装置においても、それらを同様に保持することができる。
【図面の簡単な説明】
【００２９】
【図１】本発明の一実施形態に係るケーブル保持装置５０を備えた電子・電機装置１０を示す正面図である。
【図２】図１のケーブル保持装置５０を備えた電子・電機装置１０の平面図である。
【図３】図１のケーブル保持装置５０を備えた電子・電機装置１０の側面図である。
【図４】図１のケーブル保持装置５０を備えた電子・電機装置１０のケーブル保持装置５０の平面図である。
【図５】図４のケーブル保持装置５０の正面図である。
【図６】図４のケーブル保持装置５０の側面図である。
【図７】図１のケーブル保持装置５０を備えた電子・電機装置１０の作用を示す説明図である。
【図８】図１のケーブル保持装置５０を備えた電子・電機装置１０の作用を示す説明図である。
【図９】図１のケーブル保持装置５０を備えた電子・電機装置１０の作用を示す説明図である。
【図１０】図１のケーブル保持装置５０を備えた電子・電機装置１０の作用を示す説明図である。
【図１１】本発明の別の実施形態に係るケーブル保持装置５０のスリット５２，５６を示す説明である。
【図１２】本発明の別の実施形態に係るケーブル保持装置５０のスリット５２，５６を示す説明である。
【図１３】図１２のケーブル保持装置５０の作用を示す説明図である。
【図１４】図１２のケーブル保持装置５０の作用を示す説明図である。
【図１５】従来のケーブル保持装置を備えた電子・電機装置を示す斜視図である。
【図１６】図１６のケーブル保持装置を備えた電子・電機装置の作用を示す説明図である。
【符号の説明】
【００３０】
１０  電子・電機装置
２０  シェルフ
３０  プリント板ユニット（基板）
３１  コネクタ（プリント板ユニット側）
４０  ケーブル載置部
５０  ケーブル保持装置
５１  シェルフ側板材
５２，５６  スリット
５３  窪み
５５  反シェルフ側板材
６０  光ファイバ
６１  コネクタ(光ファイバ側）
【図１】
2006237157.tif 000003
【図２】
2006237157.tif 000004
【図３】
2006237157.tif 000005
【図４】
2006237157.tif 000006
【図５】
2006237157.tif 000007
【図６】
2006237157.tif 000008
【図７】
2006237157.tif 000009
【図８】
2006237157.tif 000010
【図９】
2006237157.tif 000011
【図１０】
2006237157.tif 000012
【図１１】
2006237157.tif 000013
【図１２】
2006237157.tif 000014
【図１３】
2006237157.tif 000015
【図１４】
2006237157.tif 000016
【図１５】
2006237157.tif 000017
【図１６】
2006237157.tif 000018